(57)【要約】【課題】  キャスターを物体の隅部に取り付けることができるようにして物体を安定状態で滑動したり位置保持したりすることができ、またキャスターも含めた組立作業を容易にすることができるキャスター旋回規制装置を提供すること。【解決手段】  キャスター１０の車輪保持枠１４に係合して車輪保持枠１４の旋回を規制するように係合する係合部２２を有する規制部材２４を備え、この規制部材２４の係合部２２が車輪保持枠１４に係合するように規制部材２４の被保持部２６Ｂの凹溝２６ＢＧをキャスター１０の取付け部材１２のレール部に摺動自在に嵌合して規制部材２４をキャスター１０に着脱自在に保持する。【選択図】図４
2010064676.tif 000002
【特許請求の範囲】
【請求項１】
物体の下面に旋回自在に取り付けられた車輪保持枠と前記車輪保持枠に回転自在に支持された車輪とから成るキャスターの前記車輪保持枠の旋回を規制するキャスター旋回規制装置において、前記車輪保持枠に係合して前記車輪保持枠の旋回を規制するように係合する係合部を有する規制部材と前記規制部材を前記係合部が前記車輪保持枠に係合するように前記物体の下面に直接又は間接的に着脱自在に保持する保持手段とを備えていることを特徴とするキャスター旋回規制装置。
【請求項２】
請求項１に記載のキャスター旋回規制装置であって、前記保持手段は、前記規制部材を前記キャスターが取り付けられる物体の下面に保持するキャスター旋回規制装置。
【請求項３】
請求項１に記載のキャスター旋回規制装置であって、前記保持手段は、前記規制部材を前記キャスターが取り付けられる物体の下面に取り付けられた固定部材に保持するキャスター旋回規制装置。
【請求項４】
請求項３に記載のキャスター旋回規制装置であって、前記保持手段は、前記規制部材を前記固定部材に固定する固定具を含むことを特徴とするキャスター旋回規制装置。
【請求項５】
請求項１に記載のキャスター旋回規制装置であって、前記保持手段は、前記規制部材を前記キャスターの取付け部材に保持するキャスター旋回規制装置。
【請求項６】
請求項５に記載のキャスター旋回規制装置であって、前記保持手段は、前記キャスターの取付け部材に設けられた保持部と前記規制部材に設けられ前記保持部に着脱自在に保持される被保持部とから成っていることを特徴とするキャスター旋回規制装置。
【請求項７】
請求項６に記載のキャスター旋回規制装置であって、前記保持手段の保持部と被保持部とは、それぞれ、１対のレールと前記１対のレールに係合する１対の凹溝の一方と他方であることを特徴とするキャスター旋回規制装置。
【請求項８】
請求項７に記載のキャスター旋回規制装置であって、前記保持部は、前記１対のレールであり、前記被保持部は、前記１対の凹溝であることを特徴とするキャスター旋回規制装置。
【請求項９】
請求項５乃至８のいずれかに記載のキャスター旋回規制装置であって、前記保持手段は、前記規制部材を前記取り付け部材に固定する固定具を含むことを特徴とするキャスター旋回規制装置。
【請求項１０】
請求項９に記載のキャスター旋回規制装置であって、前記固定具は、ねじ又は弾性ばねであることを特徴とするキャスター旋回規制装置。
【請求項１１】
請求項１乃至１０のいずれかに記載のキャスター旋回規制装置であって、前記規制部材の係合部は、前記キャスターの車輪保持枠の一部に被さるように係合する車輪保持枠係合面であることを特徴とするキャスター旋回規制装置。
【発明の詳細な説明】
【技術分野】
【０００１】
本発明は、例えば、椅子、家具の如き移動物体の下面に取り付けられ任意の方向に旋回しながら移動物体を滑動することができるキャスターの旋回を規制することができるキャスター旋回規制装置の改良に関するものである。
【背景技術】
【０００２】
例えば、家具の下面に取り付けられて家具を任意の方向に滑動する場合、キャスターの車輪の向きが一定の向きになるように規制することが要求されることがあり、このような要求に対応するために、キャスターの車輪保持枠が旋回しないで一定の向きに維持するように規制するキャスター旋回規制装置が用いられている。
【０００３】
従来技術のキャスター旋回規制装置は、キャスターの車輪保持枠を旋回自在に保持する取付け部材とは別個にこのキャスター用取付け部材に隣接して物体の下面に取り付けられた規制装置用取付け部材とこの規制装置用取付け部材に摺動自在に取り付けられ前記車輪保持枠に係合して前記車輪保持枠の旋回を規制する規制位置と前記車輪保持枠から離反して車輪保持枠の旋回を許す規制解除位置との間を進退するように摺動自在に取り付けられた規制部材とから成っている（特許文献１及び２参照）。
【０００４】
このような構造のキャスター旋回規制装置は、キャスターに隣接しているが、キャスターとは別個の位置に設けられているので、キャスター旋回規制装置は、手で規制部材を進退する必要があるため、物体の隅部にはキャスター旋回規制装置が位置し、キャスター自体は、物体の隅部よりも奥の方に設置されることになり、物体を安定状態で滑動したり位置保持したりすることができなくなり、またキャスターとその旋回規制装置付きキャスターの設置面積が大きくなる上に、キャスターとその旋回規制装置との構成部材が別個であるので、組立作業が面倒となる欠点があった。
【０００５】
【特許文献１】実開平２−１４５５０２号公報
【特許文献２】特開平５−２５４３０７号公報
【発明の開示】
【発明が解決しようとする課題】
【０００６】
本発明が解決しようとする第１の課題は、キャスター自体を物体の隅部に取り付けて物体を安定状態で滑動したり位置保持したりすることができるキャスター旋回規制装置を提供することにある。
【０００７】
本発明が解決しようとする第２の課題は、キャスターも含めた組立作業を容易にすることができるキャスター旋回規制装置を提供することにある。
【課題を解決するための手段】
【０００８】
本発明の課題解決手段は、物体の下面に旋回自在に取り付けられた車輪保持枠とこの車輪保持枠に回転自在に支持された車輪とから成るキャスターの車輪保持枠の旋回を規制するキャスター旋回規制装置において、車輪保持枠に係合して車輪保持枠の旋回を規制するように係合する係合部を有する規制部材とこの規制部材をその係合部が車輪保持枠に係合するように物体の下面に直接又は間接的に着脱自在に保持する保持手段とを備えていることを特徴とするキャスター旋回規制装置を提供することにある。
【０００９】
本発明の課題解決手段において、保持手段は、規制部材をキャスターが取り付けられる物体の下面に直接保持してもよいし、物体の下面に取り付けられた固定部材又はキャスターの取付け部材を介して間接的に保持してもよい。
【００１０】
保持手段が規制部材をキャスターの取付け部材に保持する場合、この保持手段は、キャスターの取付け部材に設けられた保持部と規制部材に設けられ保持部に着脱自在に保持される被保持部とから成っている形態とすることができる。
【００１１】
この場合、保持手段の保持部と被保持部とは、それぞれ、１対のレールとこの１対のレールに係合する１対の凹溝の一方と他方とすることができ、例えば、保持部を１対のレールとし、被保持部を１対の凹溝とすることができる。
【００１２】
保持手段は、規制部材を取り付け部材又は固定部材に固定する固定具を含むのが好ましく、この固定具は、例えば、ねじ又は弾性ばねとすることができる。
【００１３】
本発明の課題解決手段において、規制部材の係合部は、キャスターの車輪保持枠の一部に被さるように係合する車輪保持枠係合面であるのが好ましい。
【発明の効果】
【００１４】
本発明によれば、キャスター旋回規制装置を構成する規制部材やその保持手段は、キャスターとは別個の位置ではなく、キャスターの車輪保持枠付近の物体の下面に直接又はキャスターの下方に設けられた固定部材あるいはキャスターの取付け部材に取り付けられるので、キャスター旋回規制装置の取付け位置は、キャスターの取付け位置又はそれに重合した位置となり、キャスター自体を物体の隅部に取り付けて物体を安定状態で滑動したり、位置保持したりすることができる。
【００１５】
また、キャスター旋回規制装置の取付け位置は、キャスターの取付け位置又はそれに重合した位置となって設置面積が小さくなる上に旋回規制装置の一部がキャスターの構成部材とすることができるので、キャスターを含む組立作業を容易に行うことができる。
【発明を実施するための最良の形態】
【００１６】
本発明の第１の実施の形態を図面を参照して詳細に述べると、図１及び図２は、本発明のキャスター旋回規制装置２０を備えたキャスター１０を示し、図１の状態は、キャスター旋回規制装置２０の非規制状態であり、図２の状態は、キャスター旋回規制装置２０の規制状態である。
【００１７】
キャスター１０は、物体１（図１（Ｂ）（Ｄ）、図２（Ｂ）乃至（Ｄ）,（Ｆ）及び図３（Ｂ）乃至（Ｅ）参照）の下面に固定される取付け部材１２と、この取付け部材１２に旋回自在に取り付けられた車輪保持枠１４と、この車輪保持枠１４に回転自在に支持された車輪１６とを含んでいる。
【００１８】
取付け部材１２は、図３（Ｂ）乃至（Ｅ）及び図４から解るように、物体１の下面１Ｂに係合する略四角形の上板１２Ｕとこの上板１２Ｕの下面に取り付けられた略コ字形の下板１２Ｄとから成っている。
【００１９】
上板１２Ｕは、中央に設けられ旋回軸１４Ｓが貫通して支持される軸支持孔１２ＵＨ１と四隅に設けられ取付け部材１２を物体１に取り付ける取付けねじ貫通用の４つのねじ貫通孔１２ＵＨ２とを有する。
【００２０】
下板１２Ｄは、図５に示すように、一側の立上り片１２ＤＲに設けられて後に述べる旋回規制装置の規制部材をねじ（固定具）で固定するねじ孔１２ＤＨ１と、上板１２Ｕの４つのねじ貫通孔１２ＵＨ２に整列する４つのねじ貫通孔１２ＤＨ２とを有する。
【００２１】
取付け部材１２は、その４つのねじ貫通孔１２Ｕ２と１２ＤＨ２とを貫通する図示しないねじによって物体１に取り付けられる。この取付け部材１２の下板１２Ｄの幅は、上板１２Ｕの幅よりも大きく設定されていて下板１２Ｄの両縁端が上板１２Ｕの両側から水平に突出して後に述べるように、旋回規制装置２０の保持手段の一部（レール部）を構成している。
【００２２】
車輪保持枠１４は、特に、図１（Ｄ）、図２（Ｆ）及び図３（Ｅ）に示すように、取付け部材１２の上板１２Ｕの軸支持孔１２ＵＨ１を貫通し加締め付けして取り付けられた旋回軸１４Ｓにブッシュ１４ＳＢを介して回転自在に支持されている。図１（Ｄ）から解るように、車輪保持枠１４は、その一方側に変位して旋回軸１４Ｓに支持されている。
【００２３】
車輪１６は、図１（Ｄ）、図２（Ｆ）に示すように、回転軸１６Ｓによって車輪保持枠１４に回転自在に支持されている。なお、図示していないが、この車輪１６は、物体１が移動しないように回転を阻止するロック手段によってロックされる。
【００２４】
本発明のキャスター旋回規制装置２０は、キャスター１０の車輪保持枠１４に係合して車輪保持枠１４の旋回を規制する係合部２２を有する規制部材２４と、この規制部材２４の係合部２２が車輪保持枠１４に係合して車輪１６の旋回を規制するように、規制部材２４を物体１の下面１Ｂに着脱自在に保持する保持手段２６とを備えている。図１及び図２の形態では、規制部材２４は、１０の取付け部材１２に保持されるようにしている。
【００２５】
規制部材２４の係合部２２は、特に、図２（Ｆ）から解るように、車輪保持枠１４の旋回軸１４Ｓ側の露出外面１４ＯＦを覆うカバー状湾曲規制片２４Ｃの下縁２４ＣＥから成っており、この係合部２２は、規制部材２４の規制位置（図２参照）で車輪保持枠１４の下方部分に係合して車輪保持枠１４の旋回を阻止している。
【００２６】
図示の形態では、規制部材２４の湾曲規制片２４Ｃは、旋回規制位置では車輪支持枠１４の露出面（車輪１６からはみ出る部分の外面）に被さるように、外面壁２４ＣＯとその両側に一体に形成された１対の側面壁２４ＣＳとから成っている。なお、側面壁２４ＣＳは、車輪１６に干渉することがないように、円弧状に切欠かれており、この切欠きは、符号２４ＣＳＮで示されている。
【００２７】
保持手段２６は、キャスター１０の取付け部材１２に設けられた保持部２６Ａと規制部材２４に設けられ保持部２６Ａに着脱自在に保持される被保持部２６Ｂとから成っている。
【００２８】
図示の形態では、保持部２６Ａは、キャスタ−１０の取付け部材１２の下板１２Ｄの上板１２Ｕの両側から水平に突出する側縁から成る１対のレール２６ＡＲから成り、被保持部２６Ｂは、規制部材２４に設けられ１対のレール２６ＡＲに摺動自在に係合する１対の凹溝２６ＢＧから成っている。
【００２９】
図示の形態では、１対の凹溝２６ＢＧは、規制部材２４の湾曲規制片２４Ｃの上縁に一体に水平に延長して形成された左右１対のＬ字形保持片２４Ｌの相対する内面に形成され、また規制片２４Ｃの外面壁２４ＣＯの上縁は、このＬ字形保持片２４Ｌの垂直部分に連続するように延びており、この延長部分には、規制部材２４の旋回規制位置で取付け部材１２の下板１２Ｄのねじ孔１２ＤＨ２に整列するねじ貫通孔２６ＢＨを有する。
【００３０】
図２及び図４（Ｃ）に示すように、規制部材２４がキャスター１０の旋回規制位置に取り付けられた状態でねじ（固定具）２６Ｔが規制部材２４のねじ貫通孔２６ＢＨを貫通し取付け部材１２のねじ孔１２ＤＨにねじ込んでキャスター旋回規制装置２０の規制部材２４がキャスター１０の取付け部材１２に取り付けられて固定されるようにしている。
【００３１】
次に、本発明のキャスター旋回規制装置２０の使用状態を述べると、キャスター１０が取り付けられた物体１を任意の位置に滑動する場合には、図１及び図３に示すように、キャスター１０からキャスター旋回規制装置２０の規制部材２４を取り外し、キャスター１０の車輪保持枠１４を旋回軸１４Ｓを中心に任意の方向に旋回しながら物体１０を押す。
【００３２】
物体１を一定の方向に滑動するか、所定の位置に停止する場合には、キャスター旋回規制装置２０の規制部材２４をキャスター１０に取り付けるが、この取付け作業は、規制片２４Ｃの下縁２４ＣＥである係合部２２を車輪保持枠１６に係合するまで、規制部材２４の被保持部２６Ｂの１対の凹溝２４ＢＧをキャスター１０の取付け部材１２の保持部２６Ａのレール部２６ＡＲに嵌合して行われ、その後、被保持部２６Ｂのねじ貫通孔２６ＢＨにねじ（固定具）２６Ｔを貫通し、キャスター１０の取付け部材１２の下板１２Ｄのねじ孔１２ＤＨ１にねじ込んで規制部材２４をキャスター１０に固定する。
【００３３】
キャスター旋回規制装置２０は、キャスター１０に対して進退するだけではなく、キャスター１０の取付け部材１２に対して着脱自在にして取り付けられるので、非規制位置では、規制部材２４は、キャスター１０から完全に取り外され、従来技術のように、規制部材をキャスターから後退する位置で保持する必要はなく、従ってキャスター１０を物体１の四隅に取り付けることができる。これは、物体１を安定状態で滑動するようにすることができ、また物体１を所定の停止位置で安定した状態で位置保持することができる。
【００３４】
また、この旋回規制装置２０付きキャスター１０は、キャスター１０物体１の下面に着脱自在に取り付けられ、特に旋回規制装置２０を非規制状態で物体の下面に保持するように取り付けることを必要としないので、組立作業が容易であることが解る。
【００３５】
本発明の第２の実施の形態によるキャスター旋回規制装置２０が図７に示されており、この実施の形態では、旋回軸１４Ｓは、取付け部材１２を介することなく、物体１の下面１Ｂ（図示せず）に直接取り付けられ、規制部材２４を保持する保持手段２６は、規制部材２４を保持する固定部材２６Ｆを有する。この固定部材２６Ｆは、図７（Ａ）から解るように、略Ｕ字形の１つの板の形態であり、規制部材２４の保持手段２６の保持部２６Ａであるレール部２６ＡＲは、この板状固定部材２６Ｆの両側の端縁を鍔状に下方に折り曲げ成形した部分から成っていることを除いて図１乃至図６の実施の形態と同じであり、この実施の形態の旋回規制装置２０も同様の効果を有する。なお、ねじＴがねじ込まれるねじ孔２６ＦＨは、この固定部材２６Ｆの立上がり片２６ＦＲに設けられている。
【００３６】
なお、上記２つの実施の形態では、保持手段２６の保持部２６Ａをレール状とし、被保持部２６Ｂを凹溝状としたが、これらは、逆であってもよい。
【００３７】
本発明の更に他の実施の形態が図８乃至図１２に示されており、以下、これらの実施の形態を述べる。
【００３８】
本発明の第３の実施の形態が図８に示されており、この実施の形態では、図７の実施の形態と同様に、旋回軸１４Ｓは、物体１の下面１Ｂに取り付けられ、キャスター旋回規制装置２０の規制部材２４は、略コ字形の保持板２４Ｐを有し、この保持板２４Ｐに図１乃至図３の規制部材２４と同様のカバー状湾曲規制片２４Ｃが一体に形成されている。保持手段２６は、この保持板２４Ｐから成り、この保持板２４Ｐに設けられた４つのねじ貫通孔２４ＰＨを貫通して物体の下面（図示せず）にねじ込むねじ（固定具）２６Ｔによって規制部材２４を物体の下面に保持し固定している。
【００３９】
この実施の形態において、キャスター１０を旋回規制するためには、図８（Ｂ）に示すように、規制部材２４の保持板２４Ｐのコ字形切欠き２４ＰＮに旋回軸１４Ｓが嵌り込むようにして、係合部２２が車輪保持枠１４に係合するまで規制部材２４をキャスター１０と物体１の下面１Ｂとの間に入り込ませ、保持板２４Ｐのねじ貫通孔２４ＰＨにねじ２６ＴＨを貫通し、物体１の下面１Ｂの相応する位置に予め設けられた４つのねじ孔（図示せず）にねじ込んで規制部材２４を物体１の下面１Ｂ（図示せず）に取り付ける。旋回規制を解除するためには、４つのねじ２６Ｔを外し、規制部材２４をキャスター１０と物体１の下面１Ｂ（図示せず）との間から引き抜く。
【００４０】
本発明の第４の実施の形態が図９に示されており、この実施の形態では、旋回軸（図示せず）は、略正方形の板状取付け部材１２に取付けられ、この取付け部材１２は、その四隅にねじ（図示せず）が貫通するねじ貫通孔１２Ｈを有し、これらのねじ貫通孔１２Ｈを貫通するねじを物体１の下面１Ｂ（図示せず）にねじ込んでこの物体の下面に固定される。
【００４１】
キャスター旋回規制装置２０の規制部材２４は、略コ字形の溝２４ＰＧ付き保持板２４Ｐを有し、この保持板２４Ｐに図１乃至図３の規制部材２４と同様のカバー状湾曲規制片２４Ｃが一体に形成されている。保持手段２６は、この保持板２４Ｐから成り、この保持板２４Ｐの略コ字形溝２４ＰＧに板状取付け部材１２が入り込むように規制部材２４を板状取付け部材１２に嵌め込んで規制部材２４をこの取付け部材１２を介して物体の下面に保持するようにしている。
【００４２】
取付け部材１２と保持板２４Ｐの溝２４ＰＧに対応する壁部分とに整列するねじ孔２６ＡＨ、２６ＢＨがそれぞれ設けられ、これらのねじ孔２６ＡＨ、２６ＢＨにねじ２６Ｔをねじ込んで取付け部材１２に規制部材２４を固定している。
【００４３】
この実施の形態において、キャスター１０を旋回規制するためには、図９（Ｂ）に示すように、規制部材２４の係合部２２が車輪保持枠１４に係合するまで、規制部材２４の保持板２４Ｐの溝２４ＰＧに板状取付け部材１２が入り込むように規制部材２４を取付け部材１２に嵌め込ませ、保持板２４Ｐのねじ孔２６ＢＨと取付け部材１２のねじ孔２６ＡＨにねじ２６Ｔをねじ込んで、規制部材２４を取付け部材１２を介して物体の下面に取り付ける。旋回規制２４の規制を解除するためには、ねじ２６Ｔを外し、規制部材２４を取付け部材１２から引き外す。
【００４４】
本発明の第５の実施の形態が図１０に示されており、この実施の形態では、第４の実施の形態の規制部材２４のねじ孔２６ＢＨに代えて規制部材２４の溝２４ＰＧ付き保持板２４Ｐに板状取付け部材１２の４つのねじ貫通孔１２Ｈのうち２つのねじ貫通孔１２Ｈ（図１０（Ａ）の右側の長辺に沿って設けられた２つのねじ貫通孔）に整列した２つのねじ貫通孔２４ＰＨが設けられ、板状取付け部材１２の他の２つのねじ貫通孔１２Ｈを塞ぐことがないように嵌め込み方向の長さを短くしていることを除いて、第４の実施の形態の規制部材２４と同じである。取付け部材１２は、旋回非規制状態では、４つのねじ貫通孔１２Ｈに４つのねじ２６Ｔを貫通し、これらのねじ２６Ｔを直接物体１の下面１Ｂ（図示せず）にねじ込んでこの物体１の下面１Ｂに取り付けられる。
【００４５】
一方、キャスター１０を旋回規制するためには、取付け部材１２から４つのねじ２６Ｔのうち、規制部材２４を差し込む方向の手前側の２つねじ２６Ｔを外し、図１０（Ｂ）に示すように、規制部材２４の係合部２２が車輪保持枠１４に係合するまで、規制部材２４の保持板２４Ｐの溝２４ＰＧに板状取付け部材１２が入り込むように規制部材２４を取付け部材１２に嵌め込ませ、取付け部材１２の４つのねじ貫通孔１２Ｈのうち保持板２４Ｐのねじ貫通孔１２Ｈに整列する２つのねじ貫通孔１２Ｈと保持板２４Ｐのねじ貫通孔２４ＰＨとにねじ２６Ｔを貫通し、物体の下面にねじ込んで、規制部材２４を取付け部材１２と共に物体の下面に取り付ける。旋回規制２４の規制を解除するためには、保持板２４Ｐを貫通する２つのねじ２６Ｔを外し、規制部材２４を取付け部材１２から引き外し、これらの２つのねじ２６Ｔを取付け部材１２を介して物体の下面にねじ込んで取付け部材１２を物体の下面に取り付ける。
【００４６】
本発明の第６の実施の形態が図１１に示され、この実施の形態は、第４の実施の形態のねじ孔２６ＡＨに代えて規制部材２４の湾曲規制片２４Ｃの外面に縦ねじ貫通孔２４ＣＨを有する膨出部２４ＣＢを設けてキャスター１０の旋回規制状態では、このねじ貫通孔２４ＣＨにねじ２６Ｔを貫通し、このねじ２６Ｔを物体１の下面１Ｂ（図示せず）の相応する位置に設けられた図示しないねじ孔にねじ込んで規制部材２４をこの物体の下面に固定することを除いて第４の実施の形態と同じである。
【００４７】
本発明の第７の実施の形態が図１２に示され、この実施の形態は、第４の実施の形態のねじ孔２６ＡＨに代えて取付け部材１２の両側面に弾性板ばね１２Ｓを取付け、規制部材２４の保持板２４Ｐの溝２４ＰＧの内面にこれらの弾性板ばね１２Ｓが係入するへこみ２４ＰＧＲを設けたことを除いて第４の実施の形態と同じである。
【００４８】
この実施の形態において、キャスター１０を旋回規制状態にする際には、弾性板ばね１２Ｓが弾性変形しながら規制部材２４の保持板２４Ｐの溝２４ＰＧ内に入り込むように、規制部材２４の係合部２２が車輪保持枠１４に係合するまで規制部材２４を取付け部材１２に嵌り込ませるが、この時、弾性板ばね１２Ｓがへこみ２４ＰＧＲに対応してこれらのへこみ２４ＰＧＲ内に係入するので、規制部材２４は、取付け部材１２を介して物体１の下面１Ｂ（図示せず）に固定される。
【産業上の利用可能性】
【００４９】
本発明によれば、キャスター旋回規制装置の規制部材をキャスターの車輪保持枠の下方に位置するように物体の下面に直接又は間接的に着脱自在に取り付けるようにしたので、キャスターを物体の四隅に取り付けて物体を安定に維持することができ、また規制部材は、キャスターの一部を介して又は直接物体の下面に保持するようにしたので、物体への組み付けが容易であり、産業上の利用性が大きい。
【図面の簡単な説明】
【００５０】
【図１】本発明の第１の実施の形態による旋回規制装置付きキャスターの非規制状態を示し、同図（Ａ）乃至（Ｃ）は、それぞれ、その上面図、側面図及び下面図であり、また同図（Ｄ）は、同図（Ａ）のＤ−Ｄ線断面図である。
【図２】図１のキャスターのみを示し、同図（Ａ）乃至（Ｅ）は、そえぞれ、その上面図、側面図、正面図、背面図及び下面図であり、また同図（Ｆ）は、同図（Ｃ）のＦ−Ｆ線断面図である。
【図３】本発明の旋回規制装置付きキャスターの規制状態を示し、同図（Ａ）乃至（Ｄ）は、それぞれ、その上面図、側面図、正面図及び背面図であり、また同図（Ｅ）は、同図（Ｂ）のＥ−Ｅ線断面図である。
【図４】図１と同様の非規制状態にある旋回規制装置付きキャスターの斜視図である。
【図５】キャスターの取付け部材の上板を示し、同図（Ａ）及び（Ｂ）は、それぞれ、上面図及び右側面図である。
【図６】規制部材を示し、同図（Ａ）及び（Ｂ）は、それぞれ、正面図及び背面図である。
【図７】本発明の第２の実施の形態による旋回規制装置付きキャスターを示し、同図（Ａ）及び（Ｂ）は、それぞれ、規制状態の下向き斜視図及び非規制状態の上向き斜視図である。
【図８】本発明の第３の実施の形態による旋回規制装置付きキャスターを示し、同図（Ａ）及び（Ｂ）は、それぞれ、規制状態の下向き斜視図及び非規制状態の上向き斜視図である。
【図９】本発明の第４の実施の形態による旋回規制装置付きキャスターを示し、同図（Ａ）及び（Ｂ）は、それぞれ、規制状態の下向き斜視図及び非規制状態の上向き斜視図である。
【図１０】本発明の第５の実施の形態による旋回規制装置付きキャスターを示し、同図（Ａ）及び（Ｂ）は、それぞれ、規制状態の下向き斜視図及び非規制状態の上向き斜視図である。
【図１１】本発明の第６の実施の形態による旋回規制装置付きキャスターを示し、同図（Ａ）及び（Ｂ）は、それぞれ、規制状態の下向き斜視図及び非規制状態の上向き斜視図である。
【図１２】本発明の第７の実施の形態による旋回規制装置付きキャスターを示し、同図（Ａ）及び（Ｂ）は、それぞれ、非規制状態の下向き斜視図及び規制状態の上向き斜視図である。
【符号の説明】
【００５１】
１        物体
１Ｂ        下面
１０        キャスター
１２        取付け部材
１２Ｕ      上板
１２ＵＨ１  軸支持孔
１２ＵＨ２  ねじ貫通孔
１２Ｄ      下板
１２ＤＥ    側縁
１２ＤＲ    立上り片
１２ＤＨ１  ねじ孔
１２ＤＨ２  ねじ貫通孔
１２Ｈ      ねじ貫通孔
１２Ｓ      弾性板ばね（固定具）
１４        車輪保持枠
１４ＯＦ    外面
１４Ｓ      旋回軸
１４ＳＢ    ブッシュ
１６        車輪
１６Ｓ      回転軸
２０        キャスター旋回規制装置
２２        係合部
２４        規制部材
２４Ｃ      カバー状湾曲規制片
２４ＣＥ    カバー状湾曲規制片２４の下縁
２４ＣＨ    縦ねじ貫通孔
２４ＣＢ    膨出部
２４ＣＯ    外面壁
２４ＣＳ    側面壁
２４ＣＳＮ  切欠き
２４Ｐ      保持板
２４ＰＧ    溝
２４ＰＧＲ  へこみ
２４ＰＨ    ねじ貫通孔
２４ＰＮ    コ字形切欠き
２６        保持手段
２６Ａ      保持部
２６ＡＨ、２６ＢＨ  ねじ孔
２６ＡＬ    １対のＬ字形保持片
２６ＡＲ    １対のレール
２６Ｂ      被保持部
２６ＢＧ    １対の凹溝
２６ＢＨ    ねじ貫通孔
２６Ｆ      固定部材
２６ＦＲ    立上り片
２６ＦＨ    ねじ孔
２６Ｔ      ねじ（固定具）
【図１】
2010064676.tif 000003
【図２】
2010064676.tif 000004
【図３】
2010064676.tif 000005
【図４】
2010064676.tif 000006
【図５】
2010064676.tif 000007
【図６】
2010064676.tif 000008
【図７】
2010064676.tif 000009
【図８】
2010064676.tif 000010
【図９】
2010064676.tif 000011
【図１０】
2010064676.tif 000012
【図１１】
2010064676.tif 000013
【図１２】
2010064676.tif 000014